【事件の表示】
　特願２０００−２４３５１１「パチンコ遊技機」拒絶査定不服審判事件〔平成１３年　３月１３日出願公開、特開２００１−　６２０６９〕について、次のとおり審決する。
【結　論】
　本件審判の請求は、成り立たない。
【理　由】
１．出願の経緯
　本願は、平成２年１１月２２日に出願した特願平２−３１６１７２号の一部を平成１１年１月１８日に新たな特許出願とした特願平１１−８９１８号の一部を平成１２年８月１１日に特願２０００−２４３５１１号として新たな特許出願としたものであって、平成１６年６月２１日付けの拒絶理由通知に対し平成１６年９月１３日付けで手続補正がなされ、平成１６年１１月１日付けで拒絶査定がなされ、平成１６年１２月９日に拒絶査定に対する審判請求がなされ、平成１８年３月２８日付けで当審より拒絶理由通知がなされ、平成１８年５月２５日付けで手続補正がなされたものである。
　　　
２．本願発明
　本願の請求項１及び２に係る発明は、平成１８年５月２５日付けの手続補正書の特許請求の範囲の請求項１及び２に記載された事項により特定される「パチンコ遊技機」にあると認められるところ、その請求項１に係る発明（以下、「本願発明」という。）は、以下のとおりのものである。
　「可動翼片の作動により開閉される大入賞口を有すると共に、前記大入賞口を通じてのみ入球可能とされた入賞空間内に普通入賞口と、特別入賞口と、前記入賞空間内に入ったパチンコ球を前記普通入賞口及び前記特別入賞口のうちの何れかに振り分ける振分部材とを備えた役物ユニットを遊技盤面に備えたパチンコ遊技機において、
　前記遊技盤面に、前記役物ユニットとは別に、図柄始動口と、該図柄始動口への入球により複数の図柄を変動して停止する図柄表示器と、パチンコ球が入球困難な状態からパチンコ球が入球しやすい状態に開放する翼片を有した可変入賞装置を具備した入賞口であってパチンコ球の入賞により前記役物ユニットの可動翼片を作動して前記大入賞口を開閉させる可変入賞装置付始動口と、を配設し、
　前記役物ユニットの前記振分部材は、パチンコ球が前記特別入賞口に振り分けられる可能性が低い遊技者に不利な第１の姿勢とパチンコ球が前記特別入賞口に振り分けられる可能性が高い遊技者に有利な第２の姿勢とに変換可能であり、
　前記図柄始動口にパチンコ球が入球したことを条件として前記図柄表示器の図柄を変動して停止させ、前記図柄表示器の図柄が所定の停止表示態様となった場合に前記可変入賞装置の翼片を動作させて前記可変入賞装置付始動口を開放し、パチンコ球が前記可変入賞装置付始動口に入球したことを条件として前記役物ユニットの可動翼片を動作させて前記大入賞口を開閉させ、前記大入賞口を通過して前記入賞空間内に入ったパチンコ球が、前記特別入賞口に落入した場合に大当りとなり、前記可動翼片の開閉動作を所定回数繰り返す大入賞口の連続開閉動作を開始すると共に、当該大入賞口の連続開閉動作中に、前記振分部材を前記遊技者に不利な第１の姿勢から前記遊技者に有利な第２の姿勢に変換動作させるように遊技制御する遊技制御装置を備えたことを特徴とするパチンコ遊技機。」
　　　　　
３．引用刊行物に記載の発明　
　当審は、平成１８年３月２８日付の拒絶理由で、本願発明は、下記の刊行物１乃至刊行物３に記載された発明に基づいて当業者が容易に発明をすることができたものであるから、特許法第２９条第２項の規定により特許を受けることができない旨通知した。
　刊行物１：特開平２−１５２４８２号公報 
　刊行物２：特開平２−２０９１８１号公報 
　刊行物３：特開平２−１５６９７３号公報 
　　　
　（１）刊行物１に記載の発明
　ｉ．刊行物１〔特開平２−１５２４８２号公報〕には、以下の事項が記載されている。
　「パチンコ機の遊技盤１の表面には、第１図に示すように、ガイドレール２で囲んだ遊技部３を形成し、該遊技部３内に無数の障害釘を植設するとともに、風車４…や一般の入賞具５…を配設し、また遊技部３のほぼ中央に変動入賞装置６を配設し、該変動入賞装置６の下方左右に第１特定入賞口７，７を、該第１特定入賞口７，７の中に第２特定入賞口８を並設してあり、第１特定入賞口７，７に入った球が流下する流路に第１特定入賞検出器９，９、第２特定入賞口８に入った球が流下する流路に第２特定入賞検出器１０を各々設けてある。変動入賞装置６は、遊技盤１の表面に取付ける基板１１に開口部１２を開設し、該開口部１２の上方の基板１１表面に横長な箱状の鎧部１３を突設して該鎧部１３の上面左右に天入賞口１４，１４を形成し、鎧部１３の前面にはＬＥＤ等小さな発光源を縦横（例えば、縦７個×横１５個）に配置してなり文字や図柄等をスクロール表示可能な表示装置１５を設け、開口部１２の左右には直立状に起立して流下してきた球が開口部１２内に流入することを阻止して遊技者にとって不利となる第１状態と上端を外側に倒してきた球を受け止めて開口部１２に流入させて遊技者にとって有利となる第２状態とに変換可能な一対の可動部材１６，１６を支軸１７，１７により往復回動自在に軸着し、上記可動部材１６，１６の軸着基端間に上面に突条１８を形成した棚板１９を開口部１２に向けて僅かに下り傾斜させた状態で突設し、該棚板１９の下方の左右にはほぼ直立状に延在して流下してきた球が直接する入賞することを阻止する阻止壁２０，２０を形成するとともに、左右の阻止壁２０，２０の下端間隔内に球受枠２１を形成してある。また、上記した基板１１の裏側にケース２２を設けることにより開口部１２に連通する凹室２３を形成し、該凹室２３内には人形状にして装飾性を持たせた貯留部材としての流下方向変更部材２４を設けるとともに、該流下方向変更部材２４の後方に背景板２５を回転可能に設け、凹室２３の傾斜底面２６の前端縁の左右に形成した貯留段部２７，２７に臨ませた状態で球跳ね返し部材２８，２８を前後方向に移動可能に配設し、凹室２３の底面２６の傾斜下端前方に位置する球受枠２１内のほぼ中央に球が入った場合に特別の入賞とする特別入賞口２９を突設し、該特別入賞口２９の左右の空部を、球が入った場合に普通の入賞とする一般入賞口３０，３０とし、各一般入賞口３０に臨ませて回転体３１を設け、凹室２３底面２６上の左右に案内突条３２，３２を底面２６の傾斜方向に対して斜めに形成し、上記特別入賞口２９には特別入賞検出器３３を、特別入賞口２９に入った球と一般入賞口３０，３０に入った球を合流して流下する流路には入賞個数検出器３４を各々臨ませてある。」（第２頁右上欄第１８行〜第３頁左上欄第１１行）、
　「また、第８図で示すように、駆動受部材４７の昇降受片４６に第２ソレノイド３６のプランジャを下方から臨ませてある。したがって、第２ソレノイド３６が消磁した状態では支柱４３及び流下方向変更部材２４が自重及びコイルスプリング４８の付勢により下降して、球停留部４２に球を停留可能な状態となっているが、第２ソレノイド３６が励磁すると、プランジャが昇降受片４６を上昇するので、支柱４３及び流下方向変更部材２４が支柱４３のストッパ５３が凹室２３の天井面に当接するまで上昇する。したがって、球停留部４２に球を停留していた場合には、貯留を解除する状態となって球を流下させる。そして、第２ソレノイド３６が消磁すると、支柱４３及び流下方向変更部材２４が自重及びコイルスプリング４８の付勢により下降する。したがって、第２ソレノイド３６の励磁・消磁を繰り返すと、人形状の流下方向変更部材２４が飛び跳ねているように上下動する。なお、モータ３７の作動と第２ソレノイド３６の励磁・消磁を同時に行うと、人形状の流下方向変更部材２４が支柱４３を中心にして左右方向に回動しながら飛び跳ねる。そして、特別入賞口２９から上流側に遡った位置で流下方向変更部材２４が上昇すると、球停留部４２で停留していた球が特別入賞口２９に向って流下することとなり、特別入賞口２９への入賞確率が高まる。」（第３頁右下欄第１２行〜第４頁左上欄第１７行）、
　「本実施例における変動入賞装置６を用いた特別遊技は、第２３図及び第２４図のフローチャートに示すように、電気的制御装置６３が第１ソレノイド３５，３５を励磁し、可動部材１６，１６を所定時間宛所定回数（例えば、０．８秒間宛１８回）だけ第１状態から第２状態に変換するとともに、第３ソレノイド５７を所定条件が成立するまで略連続励磁して変動入賞装置６の貯留段部２７，２７内に球が貯留可能な状態とする。そして、可動部材１６，１６の開閉回数が所定回数（例えば、８回）になると第２ソレノイド３６を所定の時間間隔で励磁（例えば、０．５秒間励磁した後　０．３秒間消磁し、その後０．３秒間の励磁　０．９秒間の消磁を反復）して流下方向変更部材２４を上下動させる。第３ソレノイド５７の所定条件は、適宜に設定することができるが、本例では入賞個数が所定数（例えば、５個）に達することにより達成される。この様な所定条件が達成すると、第３ソレノイド５７が所定の時間間隔で励磁・消磁を繰り返して貯留段部２７内の球を底面２６上に弾き返して特別入賞口２９に入るチャンスを与え、また、遊技状態判別手段６５が現在の遊技状態を判別して表示データ収納部６４内に収納してある第５モードを選択し、変動入賞装置６の表示装置１５に『ヤァー』（ＭＶ−１）を約２秒間点灯表示する。これら一連の動作を１サイクルとすると、球が特別入賞口２９に入ることを条件として予め設定した所定回数（例えば、８回）だけ継続して行うことができ、斯かるサイクル数は変動入賞装置６の表示装置１５に可視表示される。なお、当該サイクルにおいて可動部材１６，１６が第１状態から第２状態に所定回（例えば、１８回目）まで変換しても球が特別入賞口２９に入らなかったり、入賞個数が所定数（例えば、１０個）以上に達しても球が特別入賞口２９に入らなかった場合には、これら中止条件の成立により、残りサイクル数に拘らず当該サイクルで特別遊技が終了する。」（第６頁右下欄第２０行〜第７頁右上欄第１７行）、
　「本実施例では一般入賞口３０，３０に球が５個以上入っても今だ特別入賞口２９に球が入らない場合に球跳ね返し部材２８を作動するように設定してあるので、入賞個数表示器の表示が「５」に達すると球跳ね返し部材２８の作動によって弾き返された球により特別入賞口２９に入る確率が高められる。」（第８頁左上欄第１〜７行）。
　　　
　ii．刊行物１には、前記摘示の記載及び図面によれば、以下の発明（以下、「刊行物１記載の発明」という。）が記載されているものと認められる。
　「可動部材１６の作動により開閉される開口部１２を有すると共に、前記開口部１２を通じてのみ入球可能とされた入賞空間内に一般入賞口３０と、特別入賞口２９と、前記入賞空間内に入ったパチンコ球を前記一般入賞口３０及び前記特別入賞口２９のうちの何れかに振り分ける球跳ね返し部材２８とを備えた変動入賞装置６を遊技盤１面に備えたパチンコ機において、　
　前記遊技盤１面に、前記変動入賞装置６とは別に、入賞口であってパチンコ球の入賞により前記変動入賞装置６の可動部材１６を作動して前記開口部１２を開閉させる第１特定入賞口７及び第２特定入賞口８と、を配設し、　前記変動入賞装置６の前記球跳ね返し部材２８は、パチンコ球が前記特別入賞口２９に入る確率が低い貯留段部２７内に球が貯留可能な第１の状態と、パチンコ球が前記特別入賞口２９に入る確率が高い貯留段部２７内に貯留されていた球を弾き返して特別入賞口２９に入るチャンスを与える第２の状態とに変換可能であり、 
　パチンコ球が前記第１特定入賞口７及び第２特定入賞口８に入球したことを条件として前記変動入賞装置６の可動部材１６を動作させて前記開口部１２を開閉させ、前記開口部１２を通過して前記入賞空間内に入ったパチンコ球が、前記特別入賞口２９に落入した場合に特別遊技となり、前記可動部材１６の開閉動作を所定回数繰り返す開口部１２の連続開閉動作を開始すると共に、当該開口部１２の連続開閉動作中に、前記球跳ね返し部材２８をパチンコ球が前記特別入賞口２９に入る確率が低い第１の状態と、パチンコ球が前記特別入賞口２９に入る確率が高い第２の状態に変換動作させるように遊技制御する遊技制御装置を備えるパチンコ機。」 
　　　　　　　
（２）刊行物２に記載の発明
　i．刊行物２〔特開平２−２０９１８１号公報〕には、以下の事項が記載されている。
　「図外の電源スイッチ操作によりパチンコ遊技機に電気が供給された初期状態においては、特別変動入賞装置３０の可動片３１，３１は遊技球が１個分流入可能な状態に閉じ、変動入賞装置５０の開閉扉５１と左右の可動部材５２，５２は閉じた状態にある。そして、可変表示装置２０の可変表示器２４０の表示は、常時は停止した状態にある。このような状態にあるときに、後述の打球発射装置によって、遊技領域２内に遊技球が発射され、その遊技球が始動入賞装置４に入賞すると、その入賞ごとに、始動入賞装置４に設置された始動入賞検出器４ａ（ＳＷ1またはＳＷ2）に検出される。その検出信号に基づいて、可変表示装置２０の可変表示器２４０の３つの表示部２４１，２４２，２４３の表示が所定時間変化された後停止されるゲームが行なわれる。そのゲームの結果、可変表示器２４０の可変表示装置２４１，２４２，２４３の表示が偶発的に特定の表示態様（この実施例の場合、「０９，９」、「１９，９」、「２９，９」）で停止したときには、予備遊技の権利が発生して特別変動入賞装置３０の判定表示装置３７０の「×」表示が点灯する。そして、その予備遊技として、特別変動入賞装置３０の可動部材３１，３１が一定時間（この実施例の場合、２秒間）開状態となる。この予備遊技が行われているときに、特別変動入賞装置３０に遊技球が入賞しなかったときには、可動部材３１，３１が閉じるとともに「×」表示が消えて、再び通常の遊技状態に戻り、入賞したときには前記判定表示装置３７０の「○」表示が点灯して可動部材３１，３１が閉じて特別遊技の権利が発生し、その権利に基づいて特別遊技が行なわれる。ここに、特別遊技とは、変動入賞装置５０が可変表示装置２０によるゲーム結果として表示された時間だけ入賞し易い状態に変換して遊技者に多くの昇給獲得のチャンスを与える遊技態様で、この実施例ではその状態を複数サイクル繰り返すようになっていて、その第１サイクル目はその特別遊技の権利の発生時にその可変表示器２４０に停止表示として示されている時間だけ、変動入賞装置５０の開閉扉５１１と左右の可動部材５１４，５１４を開状態にさせ、第２サイクル目以降は各サイクルの開始前に始動入賞装置４への入賞に基づいて可変表示装置２０の表示を変化させた後停止させて、その停止表示に示される時間だけ変動入賞装置５０の開閉扉５１１と左右の可動部材５１４，５１４を開状態にさせるサイクルを繰り返し、打止め又は後述の権利消滅条件が成立するまで行なうようになっている。ただし、各サイクル中、変動入賞装置５０の開かれた入賞口５１１中に入賞した遊技球の個数はその入賞口の流路に設置された入賞個数検出器５６２（ＳＷ3）により検出されていて、その検出個数が「１０個」になると、その時点で、開閉扉５１１と左右の可動部材５２，５２が閉じてそのサイクルが終了するようになっている。」（第３頁左上欄第５行〜右下欄第１行）、
　「特別変動入賞装置３０は、第９図の分解斜視図および第１０図の縦断側面図に示すように、遊技盤１の盤面の開口部１ｂ（第１０図）に取り付けられる構成基枠３３０と、該構成基枠３３０の前面側に取り付けられる前枠３２０と該前枠３２０に開閉自在に設置される一対の可動部材３１，３１と、これら一対の可動部材３１，３１に開閉力を伝達する開閉力伝達部材３４０と、該開閉力伝達部材３４０に駆動力を付与するソレノイド３５０とを備えている。・・・この基枠３３０の上部には入賞用開口部３３１が設けられ、下部には放射熱用開口部３３２が設けられている。また、この基枠３３０の後部には前記入賞用開口部３３１中に流入した入賞球を遊技盤１の裏側へ導く案内樋を兼ねた後枠３３３が後方に突出した状態で一体に設けられている。」（第７頁右上欄第１７行〜右下欄第３行）、
　「第１６図には、上記のように構成されたパチンコ遊技機に設置された役物制御装置９０６の制御ブロック図の一例を示す。」（第１０頁右上欄第１４〜１６行）。
　ii．刊行物２には、前記摘示の記載及び図面によれば、以下の発明（以下、「刊行物２記載の発明」という。）が記載されているものと認められる。
　「開閉扉５１３及び案内部材５１４の作動により開閉される比較的大型の入賞口５１１を有すると共に、前記入賞口５１１を通じてのみ入球可能とされた入賞空間を備えた変動入賞装置５０を遊技盤面に備えたパチンコ遊技機において、　
　前記遊技盤１面に、前記変動入賞装置５０とは別に、始動入賞口４と、該始動入賞口４への入球により複数の図柄を変動して停止する可変表示器２４０と、パチンコ球が入球困難な状態からパチンコ球が入球しやすい状態に開放する可動部材３１を有した特別変動入賞装置３０を具備した入賞用開口部３３１であってパチンコ球の入賞により前記変動入賞装置５０の開閉扉５１３及び案内部材５１４を作動して前記入賞口５１１を開閉させる特別変動入賞装置３０付きの入賞用開口部３３１と、を配設し、　
　前記始動入賞口４にパチンコ球が入球したことを条件として前記可変表示器２４０の図柄を変動して停止させ、前記可変表示器２４０の図柄が所定の停止表示態様となった場合に前記特別変動入賞装置３０の可動部材３１を動作させて前記特別変動入賞装置３０付きの入賞用開口部３３１を開放し、パチンコ球が前記特別変動入賞装置３０付きの入賞用開口部３３１に入球したことを条件として前記変動入賞装置５０の開閉扉５１３及び案内部材５１４を動作させて前記入賞口５１１を開閉させるように遊技制御する役物制御装置９６０を備えるパチンコ遊技機。」　
　　　
　ｉ．刊行物３〔特開平２−１５６９７３号公報〕には、以下の事項が記載されている。
　「上記の始動口を形成する可変入賞装置３Ｌ、３Ｃ及び３Ｒは、例えば第３図に示すように構成される。まず、遊技盤の正面側に一対の円弧状に湾曲した可動片４２ａ、４２ｂが回動自在に配置され、その下部はカバー部材４３で覆われる。この可変入賞装置は、一対の可動片４２ａ、４２ｂが第３図（Ａ）に示すように閉じたとき遊技球が入賞できない第１状態となり、第３図（Ｂ）に示すように開いたとき遊技球が入賞できる第２状態となる。」（第４頁左上欄第１８行〜右上欄第７行）、
　「まず、大入賞装置４は第４図に示すように構成される。すなわち、遊技盤の正面側に一対の翼片２１ａ、２１ｂが開閉自在に配置され、その間に遊技球（入賞球）の通過を検出するセンサ２２と入賞口２３か配置される。このセンサ２２と入賞口２３は適当なカバー部材で覆われる。大入賞装置４は、一対の翼片２１ａ、２１ｂが第１図のように閉じることで遊技球が入賞できない第１状態となり、一対の翼片２１ａ、２１ｂが左右に開いたとき、遊技球がセンサ２２を通って入賞口２３に入賞できる第２状態となる。入賞口２３に入る遊技球はセンサ２２で検出され、その検出信号に応じて、パチンコ遊技機に組み込まれた公知の賞球払出し装置が所定個数（例えば１３個）の賞品球を払い出す。」（第５頁右上欄第２〜１６行）、
　「また、遊技球が始動口に大賞することによって大賞球カウンタ３５が所定値になると（その値が１の場合は遊技球が入賞すると）、制御部３３は駆動部３８に大入賞装置４のソレノイド４４を駆動する信号を送り、一対の翼片２１ａ、２１ｂの開閉による別遊技を開始させる。翼片の開閉動作（１回）は、入賞口２３に遊技球が所定個数（例えば１０個）大賞するまで行なわれる。遊技球が入賞口２３に大賞する毎に、制御部３３は賞球払出し装置（図示省略）に信号を送り、所定個数（例えば１３個）の賞品球を払い出させる。一方、始動口への大賞と共に乱数発生部３１で発生した第２の乱数値を判定部３２で判定する。その結果、第２の乱数の値が予め定めた数に当った場合には、別遊技を継続させること（大当り）になる、この別遊技継続の確率は、次のように定められる。例えば、乱数の発生する範囲を１〜４０９６とした場合、継続になる第２の乱数値の範囲を１００１〜１０８２とすれば、継続の確率は約５０分の１となる。第２の乱数値の判定結果として、継続に当らなかった場合には、大入賞装置４の一対の翼片の開閉動作は１回、すなわち入賞口２３に所定個数（例えば１０個）の遊技球が入賞した時点で終了する。これに対し、別遊技が継続となった場合には、大入賞装置４の一対の翼片の開閉動作を所定回数（例えば８回）行なう、この場合、制御部３３は、センサ２２が遊技球の通過を検出した時点で表示器５の循環点灯を上部中央の発光体５ｃにて停止させる信号を駆動部３８に送る。更に、継続される各動作毎に入賞口２３に受け入れる遊技球の個数（入賞可能数）を乱数で決める。そのため、次の回の継続動作が始まる前に、乱数発生部３１で発生した第３の乱数の値を判定部３２で判定し、その結果により、次回の継続動作で入賞口２３に受はけれる遊技球の個数を設定する。」（第６頁右下欄第１行〜第７頁左上欄第１７行）。
　　　　
　ii．刊行物３には、前記摘示の記載及び図面によれば、以下の発明（以下、「刊行物３記載の発明」という。）が記載されているものと認められる。
　「翼片２１ａ、２１ｂの作動により開閉される大入賞口を有すると共に、前記大入賞口を通じてのみ入球可能とされた入賞空間内に入賞口２３を備えた別遊技を行なう大入賞装置４を遊技盤面２に備えた弾球遊技機において、　前記遊技盤面２に、前記大入賞装置４とは別に、パチンコ球が入球困難な状態からパチンコ球が入球しやすい状態に開放する可動片４２ａ、４２ｂを有し、パチンコ球の入賞により前記大入賞装置４の翼片２１ａ、２１ｂを作動して前記大入賞口を開閉させる、始動口としての可変入賞装置３Ｌ、３Ｃ、３Ｒ、を配設し、 
　パチンコ球が前記可変入賞装置３Ｌ、３Ｃ、３Ｒに入球したことを条件として前記大入賞装置４の翼片２１ａ、２１ｂを動作させて前記大入賞口を開閉させるように遊技制御する電気回路部を備える弾球遊技機。」 
　　　　
４．対比判断
（１）対比 
　本願発明と刊行物１記載の発明とを対比すると、 刊行物１記載の発明の「可動部材１６」、「開口部１２」、「一般入賞口３０」、「特別入賞口２９」、「球跳ね返し部材２８」、「変動入賞装置６」、「第１特定入賞口７及び第２特定入賞口８」、「特別遊技」、「パチンコ機」は、それぞれ、本願発明の「可動翼片」、「大入賞口」、「普通入賞口」、「特定入賞口」、「振分部材」、「役物ユニット」、「始動口」、「大当り」、「パチンコ遊技機」に相当する。
　また、刊行物１記載の発明の「パチンコ球が特別入賞口２９に入る確率が低い貯留段部２７内に球が貯留可能な第１の状態」及び「パチンコ球が特別入賞口２９に入る確率が高い貯留段部２７内に貯留されていた球を弾き返して特別入賞口２９に入るチャンスを与える第２の状態」は、それぞれ、本願発明の「パチンコ球が前記特別入賞口に振り分けられる可能性が低い遊技者に不利な第１の姿勢」及び「パチンコ球が前記特別入賞口に振り分けられる可能性が高い遊技者に有利な第２の姿勢」に相当する。
　そうすると、本願発明と刊行物１記載の発明とは、以下の点でそれぞれ、一致ならびに相違するものと認められる。
　一致点「可動翼片の作動により開閉される大入賞口を有すると共に、前記大入賞口を通じてのみ入球可能とされた入賞空間内に普通入賞口と、特別入賞口と、前記入賞空間内に入ったパチンコ球を前記普通入賞口及び前記特別入賞口のうちの何れかに振り分ける振分部材とを備えた役物ユニットを遊技盤面に備えたパチンコ遊技機において、
　前記遊技盤面に、前記役物ユニットとは別に、パチンコ球の入賞により前記役物ユニットの可動翼片を作動して前記大入賞口を開閉させる始動口を配設し、
　前記役物ユニットの前記振分部材は、パチンコ球が前記特別入賞口に振り分けられる可能性が低い遊技者に不利な第１の姿勢とパチンコ球が前記特別入賞口に振り分けられる可能性が高い遊技者に有利な第２の姿勢とに変換可能であり、
　パチンコ球が前記始動口に入球したことを条件として前記役物ユニットの可動翼片を動作させて前記大入賞口を開閉させ、前記大入賞口を通過して前記入賞空間内に入ったパチンコ球が、前記特別入賞口に落入した場合に大当りとなり、前記可動翼片の開閉動作を所定回数繰り返す大入賞口の連続開閉動作を開始すると共に、当該大入賞口の連続開閉動作中に、前記振分部材を前記遊技者に不利な第１の姿勢から前記遊技者に有利な第２の姿勢に変換動作させるように遊技制御する遊技制御装置を備えたパチンコ遊技機。」
　相違点．本願発明は、遊技盤面に、役物ユニットとは別に、図柄始動口と、該図柄始動口への入球により複数の図柄を変動して停止する図柄表示器と、パチンコ球が入球困難な状態からパチンコ球が入球しやすい状態に開放する翼片を有した可変入賞装置を具備した入賞口であってパチンコ球の入賞により前記役物ユニットの可動翼片を作動して前記大入賞口を開閉させる可変入賞装置付始動口と、を配設し、前記図柄始動口にパチンコ球が入球したことを条件として前記図柄表示器の図柄を変動して停止させ、前記図柄表示器の図柄が所定の停止表示態様となった場合に前記可変入賞装置の翼片を動作させて前記可変入賞装置付始動口を開放し、パチンコ球が前記可変入賞装置付始動口に入球したことを条件として前記役物ユニットの可動翼片を動作させて前記大入賞口を開閉させるように遊技制御する遊技制御装置を備えた構成であるのに対して、刊行物１記載の発明では、遊技盤面に、前記役物ユニットとは別に、パチンコ球の入賞により前記役物ユニットの可動翼片を作動して前記大入賞口を開閉させる始動口を配設し、パチンコ球が前記始動口に入球したことを条件として前記役物ユニットの可動翼片を動作させて前記大入賞口を開閉させるように遊技制御する遊技制御装置を備える点。 
 　　 
（２）相違点の検討 
　i．本願発明と刊行物２記載の発明とを対比すると、刊行物２記載の発明の「始動入賞口４」、「可変表示器２４０」、「可動部材３１」、「特別変動入賞装置３０」、「入賞用開口部３３１」、「開閉扉５１３及び案内部材５１４」、「比較的大型の入賞口５１１」、「特別変動入賞装置３０付きの入賞用開口部３３１」、「役物制御装置９６０」は、それぞれ、本願発明の「図柄始動口」、「図柄表示器」、「翼片」、「可変入賞装置」、「入賞口」、「可動翼片」、「大入賞口」、「可変入賞装置付始動口」、「遊技制御装置」に相当する。 
　すなわち、刊行物２記載の発明の「可変表示器２４０」及び「特別変動入賞装置３０」は、パチンコ球が入球したことを条件として可動翼片を動作させて大入賞口を開閉させる契機となる役割を果たす点で、本願発明の「図柄表示器」及び「可変入賞装置」に相当するとともに、刊行物２記載の発明の「変動入賞装置５０」は、「可動翼片の作動によって開閉される大入賞口を備えた入賞装置」である点で、本願発明の「役物ユニット」と共通しているものである。
　ii．一方、パチンコ遊技機において、遊技が単純だと遊技者に飽きられてしまうので、遊技をより複雑にして面白くするようにすることは、周知の課題であり、刊行物３記載の発明には、パチンコ球が入球困難な状態からパチンコ球が入球しやすい状態に開放する可動片４２ａ、４２ｂ（本願発明の「可動翼片」に相当する。以下、同様。）を有し、パチンコ球の入賞（入球）により大入賞装置４（役物ユニット）の翼片２１ａ、２１ｂ（可動翼片）を作動して大入賞口を開閉させる、始動口としての可変入賞装置３Ｌ、３Ｃ、３Ｒ（可変入賞装置）を配設した弾球遊技機（パチンコ遊技機）の発明が開示されている。
　iii．そうすると、前記刊行物３記載の発明及び前記周知の課題を参酌すると、役物ユニットの可動翼片を作動して大入賞口を開閉させる始動構成として、刊行物１記載の発明に示される非可変の始動口を配設する構成に代えて、刊行物２記載の発明に示される、図柄始動口と図柄表示器と可変入賞装置付始動口とからなる構成を採用して、前記相違点に係る本願発明のように構成することは、当業者が容易に想到できるものである。
　iv．請求人は、本願発明の「可変入賞装置」は、大当たり機能を有さず役物ユニットにて大当りか否かが決定されるものであるのに対して、刊行物２記載の発明の「特別変動入賞装置３０」は、「大当りを発生させる」ことに主たる機能を有し、「大入賞口の開放の契機とする」ことに従たる機能を有するものであるから、その従たる機能だけを取り出すことは容易でない旨主張しているが、大当りか否かを決定する役物ユニットの前段に該役物ユニットの大入賞口を開閉する可動翼片を作動させる入賞装置付始動口を配設する構成については、既に刊行物１記載の発明に開示されているところであり、該役物ユニットの可動翼片を作動させる始動口の構成として、例えば刊行物２又は３記載の発明の示される可変式の始動口を採用する程度のことは、当業者の単なる設計的事項にすぎないというべきである。
　v．また、本願発明の作用効果は、刊行物１乃至３記載の発明に基づいて当業者が容易に予測できるものである。
　　　　　　
５．むすび
　以上のとおり、本願の請求項１に係る発明は、刊行物１乃至３記載の発明に基づいて、当業者が容易に発明をすることができたものであるから、特許法第２９条第２項の規定により特許を受けることができない。
　したがって、本願の請求項２に係る発明について検討するまでもなく、本願は拒絶すべきものである。
　よって、結論のとおり審決する